(57)【要約】【課題】緊急警報の発令時に、その緊急警報信号を受信して、道路を移動中の人などに緊急警報を報知することができる屋外用案内表示装置を提供する。【解決手段】屋外に設置され、文字情報を表示する屋外用案内表示装置であり、各種案内用の文字情報を可変的に表示する電子文字表示器３と、昼と夜を判別する昼夜判別回路２１と、緊急警報信号を受信する緊急放送受信機２３と、昼夜判別回路２１が夜と判別したとき、点灯する照明灯６を備える。さらに、緊急放送受信機２３が緊急警報信号を受信したとき、電子文字表示器３に緊急警報の発令を示す文字を表示する表示制御回路３３と、緊急放送受信機２３が緊急警報信号を受信したとき、緊急警報のための音声を発生するスピーカ３２と、を備えている。【選択図】図３
2004318684.tif 000002
【特許請求の範囲】
【請求項１】
屋外に設置され、文字情報を表示する屋外用案内表示装置において、
各種案内用の文字情報を可変的に表示する文字表示器と、
昼と夜を判別する昼夜判別手段と、
緊急警報信号を受信する緊急放送受信機と、
該昼夜判別手段が夜と判別したとき、点灯する照明灯と、
該緊急放送受信機が緊急警報信号を受信したとき、該文字表示器に緊急警報の発令を示す文字を表示する文字表示制御手段と、
を備えたことを特徴とする屋外用案内表示装置。
【請求項２】
ラジオ放送を受信するラジオ受信機が設けられ、前記緊急放送受信機が緊急警報信号を受信したとき、該ラジオ受信機を受信動作させて放送の音声を出力することを特徴とする請求項１記載の屋外用案内表示装置。
【請求項３】
前記照明灯、文字表示器および緊急放送受信機の電源として、太陽光を受光可能に配設される太陽電池と、該太陽電池の起電力を蓄電する蓄電体と、が設けられたことを特徴とする請求項１記載の屋外用案内表示装置。
【請求項４】
付近の地理に関する情報の音声を発生する音声発生手段が設けられたことを特徴とする請求項１記載の屋外用案内表示装置。
【請求項５】
人体の接近を検出しその検出信号を出力する人感検出器が設けられたことを特徴とする請求項１記載の屋外用案内表示装置。
【請求項６】
前記文字表示器の表示輝度が昼と夜に応じて変更表示されることを特徴とする請求項１記載の屋外用案内表示装置。
【請求項７】
屋外に設置され、文字情報を表示する屋外用案内表示装置において、
各種案内用の文字情報を可変的に表示する文字表示器と、
緊急警報信号を受信する緊急放送受信機と、
該緊急放送受信機が緊急警報信号を受信したとき、該文字表示器に緊急警報の発令を示す文字を表示する文字表示制御手段と、
を備えたことを特徴とする屋外用案内表示装置。
【請求項８】
人体の接近を検出しその検出信号を出力する人感検出器が設けられると共に、付近の地理に関する情報の音声を発生する音声発生手段が設けられ、該人感検出器が人体の接近を検出したとき、付近の地理に関する情報の音声を発生することを特徴とする請求項７記載の屋外用案内表示装置。
【請求項９】
ラジオ放送を受信するラジオ受信機が設けられ、前記緊急放送受信機が緊急警報信号を受信したとき、該ラジオ受信機を受信動作させて放送の音声を出力することを特徴とする請求項７記載の屋外用案内表示装置。
【請求項１０】
人体の接近を検出しその検出信号を出力する人感検出器が設けられると共に、ラジオ放送を受信するラジオ受信機が設けられ、該人感検出器が人体の接近を検出したとき、該ラジオ受信機を受信動作させて放送の音声を出力することを特徴とする請求項７記載の屋外用案内表示装置。
【請求項１１】
前記文字表示器および緊急放送受信機の電源として、太陽光を受光可能に配設される太陽電池と、該太陽電池の起電力を蓄電する蓄電体と、が設けられたことを特徴とする請求項７記載の屋外用案内表示装置。
【請求項１２】
前記緊急放送受信機が緊急警報信号を受信したとき、回転して点灯する回転灯が設置されたことを特徴とする請求項１乃至１１の何れかに記載の屋外用案内表示装置。
【発明の詳細な説明】
【０００１】
【発明の属する技術分野】
本発明は、屋外に設置され各種の案内情報を表示する屋外用案内表示装置に関し、特に緊急放送受信機を備え、緊急警報放送信号を受信した緊急警報の発令時には、緊急警報用の文字情報を表示するなどして、それを報知する屋外用案内表示装置に関する。
【０００２】
【従来の技術】
地震や津波が発生した場合、或いはその発生の虞がある場合、ＮＨＫなどの緊急警報放送用実験局免許を得た放送局から、緊急警報信号が全国に向けて送信される。この緊急警報信号は、信号種別、地域、発生日時などの情報を含む低ビットレートのデータ信号であるが、その緊急警報信号を受信する場合には、専用の緊急放送受信機を用意し、それを常に受信可能な状態にして、待機しておく必要がある。
【０００３】
この種の緊急放送受信機としては、例えば下記特許文献１において提案されたものが、従来知られている。
【０００４】
【特許文献１】
特開平９−１６７２９３号公報
【０００５】
【発明が解決しようとする課題】
しかし、各家庭に緊急放送受信機を用意し、それを常に受信待機状態としている家庭はまだまだ少なく、しかも、外出先や訪問先或いは移動中の道路上などにおいては、緊急警報の発令を知るすべはなく、緊急警報の発令の際には、外出先或いは訪問先などで移動中の人々などに、迅速に緊急警報を知らせる手段の設置が要望されていた。
【０００６】
本発明は、上述の課題を解決するものであり、緊急警報の発令時には、その緊急警報信号を受信して、道路を移動中の人などに緊急警報を報知することができる屋外用案内表示装置を提供することを目的とする。
【０００７】
【課題を解決するための手段】
上記目的を達成するために、本発明の屋外用案内表示装置は、屋外に設置され、文字情報を表示する屋外用案内表示装置において、各種案内用の文字情報を可変的に表示する文字表示器と、昼と夜を判別する昼夜判別手段と、緊急警報信号を受信する緊急放送受信機と、昼夜判別手段が夜と判別したとき、点灯する照明灯と、緊急放送受信機が緊急警報信号を受信したとき、文字表示器に緊急警報の発令を示す文字を表示する文字表示制御手段と、を備えたことを特徴とする。
【０００８】
ここで、上記屋外用案内表示装置においては、請求項２のように、ラジオ放送を受信するラジオ受信機を設け、緊急放送受信機が緊急警報信号を受信したとき、ラジオ受信機を受信動作させて放送の音声を出力するように構成することができる。
【０００９】
また、上記屋外用案内表示装置においては、請求項３のように、照明灯、文字表示器および緊急放送受信機の電源として、太陽光を受光可能に配設される太陽電池と、太陽電池の起電力を蓄電する蓄電体と、を設けることができる。
【００１０】
さらに、上記屋外用案内表示装置においては、請求項４のように、付近の地理に関する情報の音声を発生する音声発生手段を設けることができる。
【００１１】
さらに、上記屋外用案内表示装置においては、請求項５のように、人体の接近を検出しその検出信号を出力する人感検出器を設けることができる。
【００１２】
さらに、上記屋外用案内表示装置においては、請求項６のように、文字表示器の表示輝度を昼と夜に応じて変更表示するように構成するとよい。
【００１３】
【作用】
このような構成の屋外用案内表示装置は、例えば公園など屋外の公共の場所に設置された屋根付きの休憩施設などに装着される。通常時、文字表示器には各種案内用の文字情報が点灯表示される。周囲が暗くなり昼夜判別手段が夜間と判定すると、照明灯を点灯させて周囲を照明する。
【００１４】
一方、地震や津波が発生した場合、或いはその発生の虞がある場合、ＮＨＫなどの緊急警報放送用実験局免許を得た放送局から、緊急警報信号が全国に向けて送信される。この緊急警報信号は、案内表示装置に設置した緊急放送受信機により受信される。そして緊急放送受信機が緊急警報信号を受信した時には、文字表示制御手段が文字表示器の表示を緊急警報の発令を示す文字を表示し、或いは表示を切り替えてそれを表示する。したがって、緊急警報が発令された際には、文字表示器に緊急警報の発令を示す文字が表示されるから、屋外の人々に緊急警報の発令を良好に報知することができる。
【００１５】
また、請求項２のように、ラジオ放送を受信するラジオ受信機を設け、緊急放送受信機が緊急警報信号を受信したとき、ラジオ受信機を受信動作させて放送の音声を出力すると構成とすれば、緊急警報の発令時には、例えば、ＮＨＫなどのラジオ放送局から緊急警報に関するニュースなどが放送されるため、その緊急警報の放送をスピーカから流し、その緊急警報に関する情報を周囲の人々に報知することができる。
【００１６】
また、請求項３のように、照明灯、文字表示器および緊急放送受信機の電源として、太陽光を受光可能に配設される太陽電池と、太陽電池の起電力を蓄電する蓄電体と、を設けた構成とすれば、電源としての太陽電池と蓄電体を備えているため、商用電源は必要なく、電源線を敷設することなく簡単に且つ安価に設置することができ、また、停電時でも使用が可能となり、さらに、電気料金も不要となり、維持費を低減することができる。
【００１７】
【発明の実施の形態】
以下、本発明の一実施形態を図面に基づいて説明する。図１は屋外用案内表示装置の正面図を示し、図２はその側面図を、図３はその構成ブロック図を示している。この屋外用案内表示装置は、公園などの休憩施設に設置され、休憩施設は地面に立設した支柱２の上に屋根１を取り付けて構成され、その屋根１の内側に照明灯６と文字表示器３が取り付けられ、屋根１の上に太陽電池（太陽電池パネル）５が設けられている。
【００１８】
照明灯６は、反射板、透明カバー、安定器などからなる蛍光灯照明具及び白色発光ダイオードを使用したＬＥＤ照明具から構成され、屋根１の内側に水平に取り付けられている。さらに、屋根１の内側における照明灯６の隣に文字表示器３が水平に取り付けられる。この文字表示器３は、例えば多数の発光ダイオード（例えば赤色ＬＥＤ）をＸ・Ｙ平面上でマトリックス状に配置して構成され、図３の表示制御回路３２により、発光ダイオード群を選択して発光駆動させて文字を表示するように動作する。これにより、文字表示器３は、通常時には外部からの各種情報を文字で表示し、緊急警報発令時には、例えば「緊急警報発令中」などのリアル情報を文字情報として表示する。
【００１９】
支柱２の上側部に制御函９が取り付けられ、制御函９には、後述の制御回路２０などを有する制御ユニット、及び緊急警報信号を受信するための緊急放送受信機２３が収納される。さらに、その支柱２内上部にラジオ受信機３０が設置されている。また、休憩施設内に設けられた椅子の内部には、電気二重層コンデンサ、小形密閉式鉛蓄電池などからなる蓄電体２５が収納されている。この蓄電体２５は、照明灯６、文字表示器３などの電源となるもので、昼間に屋根１の上の太陽電池（太陽電池パネル）５が太陽光を受光し、起電力を発生すると、その起電力を蓄電体２５に充電する。そして、そこに蓄えられた電力が、夜間、照明灯６、文字表示器３などの電源として使用されている。
【００２０】
制御ユニット内には、図３に示すように、太陽電池５の起電力を蓄電体２５に供給して充電する充電回路２２、昼夜を判別しその信号を出力する昼夜判別回路２１、照明灯６を点灯駆動する点灯回路２７、及び後述の緊急放送受信機２３、ラジオ受信機３０などを制御する制御回路２０が内蔵される。制御回路２０は、ＣＰＵ、ＲＯＭ、入出力回路などを備えた演算処理回路から構成され、昼夜判別回路２１、緊急放送受信機２３、人感検出器２６などから検出信号を入力し、予め記憶されたプログラムデータに基づき、それらの検出信号に応じて照明灯６、文字表示器３などの制御を行なう。
【００２１】
人感検出器２６は、休憩施設内に入った人を検出するように、支柱２の上部などに装着される。人感検出器２６としては、人体から放射される赤外線（熱線）を受光して人体を検出する焦電式または熱線式の人感検出器、人体に対し赤外線などの光線を照射し人体からの反射光線を受光して人体を検出する光線式人感検出器、周囲に超音波を送信し人体から反射して受信された超音波の送信から受信までの時間を計測して人体の接近を検出する超音波式人感検出器などを使用することができる。例えば、光線式人感検出器を使用する場合、赤外線の受光素子と投光素子を外側に向けて並設し、投光回路、受光回路、受光信号を検波して検出信号を出力する検出回路などから小型の検出器として構成することができる。
【００２２】
図３に示すように、太陽電池５は、その正極側が充電回路２２に接続され、蓄電体２５が充電回路２２の出力側に接続され、太陽電池５で発生した起電力が充電回路２２、過充放電防止回路３５を通して蓄電体２５に蓄電される。
【００２３】
点灯回路２７の入力側には、その点灯と消灯を制御する制御回路２０が接続され、制御回路２０には昼夜判別回路２１が接続されている。点灯回路２７の出力側には、照明灯６が接続される。制御回路２０は、昼夜判別回路２１が夜を判別したとき、点灯回路２７に点灯信号を送り、照明灯６を点灯させるように動作する。また、制御回路２０の出力側には文字表示器３の表示制御回路３２が接続される。
【００２４】
昼夜判別回路２１は、太陽電池５の起電力を検出し、予め設定した基準電圧よりその起電圧が高い場合、昼と判断し、その起電圧が低い場合、夜と判断し、その判別信号を制御回路２０に送るように構成される。太陽電池５は太陽光を受けて発電し、その起電力を充電回路２２、過充放電防止回路３５を通して蓄電体２５に蓄電する。夜間になると、蓄電体２５から放電される電力を点灯回路２７を通して照明灯６に供給可能とする。
【００２５】
また、図３に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。また、緊急放送受信機２３には音声発生回路が内蔵され、その音声は後述のラジオ受信機３０のスピーカ３１から発生させる。
【００２６】
なお、緊急警報信号の試験信号が緊急警報信号とは異なった周波数の信号として送信されるが、この緊急放送受信機２３にはその試験信号を受信する機能が設けられ、試験信号を受信した際にはその信号が緊急放送受信機２３から制御回路２０に出力される。
【００２７】
さらに、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、人感検出器２６が人の接近を検出しその信号が制御回路２０に送られたとき、制御回路２０は、ラジオ受信機３０を受信動作させ、ＮＨＫなどの放送を受信してスピーカ３１から放送を流すように動作する。さらに、支柱２の上部には、緊急警報時に回転点灯する回転灯８が設けられる。
【００２８】
次に、上記屋外用案内表示装置の動作を図４のフローチャートを参照して説明する。案内表示装置の制御回路２０は、まず、ステップ１００で、緊急放送受信機２３が緊急警報信号を受信したか否かを判定し、緊急警報信号を受信していない通常時には、次に、ステップ１１０に進み、昼夜の判定を行なう。ここで、昼夜判別回路２１が昼の判定信号を出力している昼間には、次にステップ１２０に進み、屋根１上に設置した太陽電池５が太陽光を受けて発生した起電力を、充電回路２２を通して蓄電体２５に充電する。一方、夜間においては、ステップ１１０からステップ１３０に進み、照明灯６が点灯し、休憩施設内を照明する。
【００２９】
そして、このような夜間、昼間共に、表示制御回路３２と文字表示器３が作動し、例えば外部から送られた各種案内などの文字情報がその文字表示器３に表示される（ステップ１４０）。そして、人がこの休憩施設に近づき、人感検出器２６がその人を検知したとき、ステップ１５０からステップ１６０に進み、制御回路２０は、ラジオ受信機１６０を動作させ、受信したラジオ放送の音声をそのスピーカ３１を通して発生させる。そして、人感検出器２６が人を検知した時点から所定時間が経過したとき、ステップ１７０からステップ１８０に進み、ラジオ放送の受信を停止する。一方、人感検出器２６が人を検出しない場合には、文字表示器３に文字情報が表示されるのみで、ラジオ放送の受信は行われない（ステップ１４０，１５０）。
【００３０】
次に、制御回路２０は、ステップ１９０に進み、緊急警報信号の試験信号が受信されたか否かを判定する。このとき、ＮＨＫなどの緊急警報放送用実験局免許を得た放送局から、緊急警報信号の試験信号が送信された場合、緊急放送受信機２３で、この緊急警報信号の試験信号が受信される。この緊急警報信号の試験信号は、本来の緊急警報信号とは異なった周波数の搬送波で送信され、緊急放送受信機２３において、緊急警報信号とは異なった試験信号として検出され出力される。
【００３１】
このように、試験信号を受信したとき、制御回路２０は、ステップ１９０からステップ２００に進み、点灯回路３４に点灯信号を出力して確認用ランプ２８を所定時間点灯させる。したがって、照明装置の保守点検を行なう場合、予め決められた試験信号の送信時に、確認用ランプ２８の点灯を視認して試験信号の受信を確認するようにすれば、緊急放送受信機２３の動作を容易に確認することができる。
【００３２】
次に、ステップ２１０で、確認用ランプ２８の点灯を確認する点灯信号がオンしているか否かを判定し、点灯信号がオンしていないと判定した場合、つまり確認用ランプ２８が故障により点灯しない場合、次に、ステップ２４０に進み、制御回路２０はランプ不点灯信号を外部に送信する。これにより、故障などによって試験信号の確認用ランプが点灯しない場合、外部からそれを確認することができる。
【００３３】
一方、ステップ２１０で、確認用ランプ２８の点灯を確認する点灯信号がオンしていると判定した場合、次にステップ２２０に進み、試験信号の終了を示す信号が受信され、点灯終了の信号が発生したか否かを判定する。ここで、試験信号が終了し、点灯終了の信号が発生した場合、次に、ステップ２３０に進み、確認用ランプ２８を消灯し、この回の処理を終了する。
【００３４】
一方、緊急警報が発令され、ＮＨＫなどの緊急警報放送用実験局免許を得た放送局から、地震、津波などを示す緊急警報信号が送信された場合、緊急放送受信機２３でこの緊急警報信号が受信される。このとき、緊急放送受信機２３から緊急警報信号の受信を示す信号が制御回路２０に出力され、制御回路２０は、ステップ１００で、緊急警報信号を受信したと判定し、次に、ステップ２５０に進み、昼夜の別を判定する。
【００３５】
ここで、昼夜判別回路２１が夜間であると判定した場合、次にステップ２６０に進み、点灯信号を点灯回路２７に出力する。これにより、点灯回路２７は照明灯６を点灯駆動し、休憩施設は照明される。一方、ステップ２５０で、昼夜判別回路２１が昼間であると判別した場合には照明灯６は点灯されない。
【００３６】
そして、ステップ２７０に進み、制御回路２０はラジオ受信機３０を受信動作させ、例えばＮＨＫなどの放送局のラジオ放送を受信させ、その放送をスピーカ３１から流すように動作する。更に、回転灯８が作動し、文字表示器３には、「緊急警報発令中」などの文字が表示される（ステップ２７５）。これにより、休憩施設内にいる人は、緊急時にラジオ放送から流れる緊急警報の情報を聞き、回転灯８の回転点灯を見て、さらには、文字表示器３に表示された「緊急警報発令中」などの文字を見て、緊急警報が発令されたことを確実に認識することができる。
【００３７】
そして、次にステップ２８０で、緊急警報信号の受信が停止されたか否かを判定し、緊急警報受信機２３が受信していた緊急警報信号の送信が停止した場合、次にステップ２９０に進み、緊急時の処理を終了し、受信していたラジオ受信機３０の受信動作を停止すると共に、文字表示器３の緊急時表示を中止し或いは別の表示に切り替え、回転灯８の作動を停止する。
【００３８】
このように、本照明装置には緊急放送受信機２３が設けられ、緊急警報の発令時には、文字表示器３に緊急警報の発令を示す文字が表示され、回転灯８が作動するから、外出して付近にいる人々はその緊急警報を容易に認識することができる。また、緊急警報の発令時には、ラジオ受信機３０によって受信されたラジオ放送から流れる緊急警報の情報などを聞いて、人々は地震や津波などの緊急警報の詳細を知ることができる。また、緊急警報信号の試験信号を受信した際には、確認用ランプ２８が点灯するため、試験信号の受信状態を確認することができる。
【００３９】
なお、上記の実施形態では、緊急放送受信機２３とは別にラジオ受信機３０を設置したが、緊急放送受信機内にラジオ受信部を設け、緊急警報信号の受信時には、ラジオ受信部に切り替えて、つまり、受信周波数を特定のラジオ放送局に切り替えてそのラジオ放送を受信するように構成することもできる。
【００４０】
図５〜図７は他の実施形態の屋外用案内表示装置として、避難場所案内表示器に本発明を適用した例を示している。上記実施形態と同様な構成については、図５〜図７に上記と同じ符号を付してその説明を省略する。避難場所案内表示器としての本案内表示装置は、図５，６に示すように、両側に立設した２本の支柱４２間に、表示板４１を固定し、その表示板４１には避難場所案内地図４１ａを取り付け、表示板４１の上部には文字表示器４３を取り付けて構成される。文字表示器４３は、多数の発光ダイオード（例えば赤色ＬＥＤ）をＸ・Ｙ平面上でマトリックス状に配置して構成され、発光ダイオード群を選択して発光駆動させ、「緊急警報発令中」などの文字を赤色で点灯表示し、またはそれを点滅表示するものである。文字表示器４３は表示制御回路３２を介して制御回路２０に接続される。
【００４１】
文字表示器４３の上部には、横長の制御函が取り付けられ、そこに太陽電池４５と回転灯８が設けられている。避難場所案内地図４１ａの両側には、前方に突き出すように取り付けられたパイプフレームに照明灯４６が設けられ、照明灯部４６から光により避難場所案内地図４１ａを照明する構造である。照明灯４６としては、複数の白色発光ダイオードを使用することができる。上部に設けた制御函内には、後述の制御ユニット４７、小型密閉式鉛蓄電池などの蓄電体３５、緊急放送受信機２３などの電気機器が収納されている。
【００４２】
制御ユニット４７内には、図７に示すように、照明灯４６を点灯するための電源となる蓄電体３５、太陽電池４５の起電力を蓄電体２５に供給して充電する充電回路２２、昼夜を判別しその信号を出力する昼夜判別回路２１、照明灯４６を点灯駆動する点灯回路２７、及びその点灯や後述の緊急放送受信機２３を制御する制御回路２０が内蔵される。制御回路２０は、ＣＰＵ、ＲＯＭ、入出力回路などを備えた演算処理回路から構成することができる。また、照明灯４６の外側には、人体の接近を検出する人感検出器２６が取り付けられ、制御回路２０にその検出信号を出力するように接続されている。
【００４３】
図７のように、太陽電池４５は充電回路２２に接続され、充電回路２２は制御回路２０に接続され、蓄電体２５が過充放電防止回路３６を介して制御回路２０に接続され、制御回路２０は、太陽電池４５で発生した起電力を充電回路２２、過充放電防止回路３６を通して蓄電体３５に蓄電するように制御する。
【００４４】
さらに、制御回路２０の出力側には、点灯回路２７を介して照明灯４６が接続され、また、制御回路２０には昼夜判別回路２１が接続されている。これにより、制御回路２０は、昼夜判別回路２１が夜を判別したとき、点灯回路２７に点灯信号を送り、照明灯４６を点灯させるように動作する。
【００４５】
さらに、図７に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。
【００４６】
さらに、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、緊急警報信号が制御回路２０に送られたとき、制御回路２０は、ラジオ受信機３０を受信動作させ、ＮＨＫなどの放送を受信してスピーカ３１から放送を流すように動作する。さらに、図７に示す如く、本装置の制御函内には、音声案内発生回路４４が設けられ、音声案内発生回路４４には予め音声データがメモリに記憶され、制御回路２０の制御により、人が近づいた際には、地理的な案内情報をスピーカ３１に出力する。
【００４７】
このように構成された屋外用案内表示装置は、公園、道路などの公共の場所に設置され、昼間には、太陽電池４５で発生した起電力を蓄電体３５に蓄電し、夜になると、蓄電を停止して待機する。そして、夜間に人がそこに近づくと、人感検出器２６が人の接近を検知して検知信号を制御回路２０に出力する。このとき、制御回路２０は点灯回路２７に点灯信号を出力し、点灯回路２７は照明灯４６を点灯駆動し、照明灯４６が点灯して避難場所案内地図４１ａを照明する。また、昼夜において、人が近づき、人感検出器２６がその人を検知した際には、音声案内発生回路４４が所定の案内メッセージを再生し、例えば「トイレはこの左手５０ｍのところにあります」などの地理的な音声案内情報を、スピーカ３１から発生させる。
【００４８】
一方、緊急警報が発令され、ＮＨＫなどの緊急警報放送用実験局免許を得た放送局から、地震、津波などを示す緊急警報信号が送信された場合、緊急放送受信機２３がこの緊急警報信号を受信する。このとき、緊急放送受信機２３から緊急警報信号の受信を示す信号が制御回路２０に出力され、制御回路２０は文字表示器４３に駆動信号を出力し、文字表示器４３を点灯駆動して、文字表示器４３には例えば「緊急警報発令中」などの緊急警報用の文字を点灯表示するように動作する。また同時に回転灯８が作動し、さらに制御回路２０はラジオ受信機３０を受信動作させ、例えばＮＨＫなどの放送局のラジオ放送を受信させ、その放送をスピーカ３１から流すように動作する。
【００４９】
これにより、本案内表示装置の近くにいる人は、文字表示器４３に点滅表示される「緊急警報発令中」の文字表示を見て緊急警報発令中であることを認識することができ、且つラジオ受信機３０によって受信されたラジオ放送から流れる緊急警報の情報などを聞いて、地震や津波などの緊急警報の詳細を知ることができる。
【００５０】
図８〜図１０は他の実施形態の屋外用案内表示装置として、広域避難場所案内表示器に本発明を適用した例を示している。上記実施形態と同様な構成については、図８〜図１０に上記と同じ符号を付してその説明を省略する。
【００５１】
広域避難場所案内表示器としての本案内表示装置は、図８，９に示すように、１本の支柱５２の側部に表示板５１を固定し、その表示板５１には広域避難場所表示部５１ａを取り付け、支柱５２の上部には太陽電池５５を取り付け、支柱５２の中間部には文字表示器５３を取り付けて構成される。文字表示器５３は、多数の発光ダイオード（例えば赤色ＬＥＤ）をＸ・Ｙ平面上でマトリックス状に配置して構成され、発光ダイオード群を選択して発光動作させ、「緊急警報発令中」などの文字を赤色で点灯表示し、またはそれを点滅表示するものである。
【００５２】
文字表示器５３の上には回転灯８が取り付けられ、支柱５２の下部には後述の制御ユニット５７、小型密閉式鉛蓄電池などの蓄電体７５、緊急放送受信機２３などの電気機器などを収納した制御函５９が取り付けられる。広域避難場所表示部５１ａの内側には、面発光方式の照明灯５６が設けられ、複数の白色発光ダイオードと透明導光体により、広域避難場所表示部５１ａを背面から照明する構造である。
【００５３】
制御ユニット５７内には、図１０に示すように、照明灯５６を点灯するための電源となる蓄電体７５、太陽電池５５の起電力を蓄電体７５に供給して充電する充電回路２２、昼夜を判別しその信号を出力する昼夜判別回路２１、照明灯５６を点灯駆動する点灯回路２７、及びその点灯や後述の緊急放送受信機２３を制御する制御回路２０が内蔵される。制御回路２０は、ＣＰＵ、ＲＯＭ、入出力回路などを備えた演算処理回路から構成することができる。太陽電池５５は充電回路２２に接続され、充電回路２２が制御回路２０に接続される。さらに、制御回路２０には過充放電防止回路３５を介して蓄電体７５が接続され、太陽電池５５で発生した起電力が充電回路２２、過充放電防止回路３５を通して蓄電体７５に蓄電される。
【００５４】
さらに、点灯回路２７の入力側には、その点灯と消灯を制御する制御回路２０が接続され、制御回路２０には昼夜判別回路２１が接続されている。点灯回路２７の出力側には、照明灯５６が接続される。制御回路２０は、昼夜判別回路２１が夜を判別したとき、点灯回路２７に点灯信号を送り、照明灯５６を点灯させるように動作する。
【００５５】
さらに、図１０に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。
【００５６】
さらに、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、緊急警報信号が制御回路２０に送られたとき、制御回路２０は、ラジオ受信機３０を受信動作させ、ＮＨＫなどの放送を受信してスピーカ３１から放送を流すように動作する。
【００５７】
このよう構成された屋外用案内表示装置は、公園、道路などの公共の場所に設置され、昼夜判別回路２１の動作により、昼間には、太陽電池５５で発生した起電力を蓄電体７５に蓄電し、夜になると、制御回路２０が点灯回路２７に点灯信号を出力し、点灯回路２７は照明灯５６を点灯駆動し、照明灯５６が点灯して広域避難場所表示部５１ａを照明する。この照明灯５６の点灯は常夜にわたって行なわれ、人々は暗い夜間でも広域避難場所表示部５１ａを視認することができる。
【００５８】
一方、緊急警報が発令され、ＮＨＫなどの緊急警報放送用実験局免許を得た放送局から、地震、津波などを示す緊急警報信号が送信された場合、緊急放送受信機２３がこの緊急警報信号を受信する。このとき、緊急放送受信機２３から緊急警報信号の受信を示す信号が制御回路２０に出力され、制御回路２０は文字表示器５３に駆動信号を出力し、文字表示器５３を点灯駆動する。これにより、文字表示器５３には例えば「緊急警報発令中」などの緊急警報用の文字が点灯表示され、或いはその表示が所定の周期で点滅する。また同時に、回転灯８が作動し、さらに制御回路２０はラジオ受信機３０を受信動作させ、例えばＮＨＫなどの放送局のラジオ放送を受信させ、その放送をスピーカ３１から流すように動作する。
【００５９】
これにより、本案内表示装置の近くにいる人は、文字表示器４３に点滅表示される「緊急警報発令中」の文字表示を見て緊急警報発令中であることを認識することができ、且つラジオ受信機３０によって受信されたラジオ放送から流れる緊急警報の情報などを聞いて、地震や津波などの緊急警報の詳細を知ることができる。
【００６０】
図１１〜図１５は他の実施形態の屋外用案内表示装置を示している。この屋外用案内表示装置は、道路の縁部などに設置され、「走行注意」など、各種の警報などを表示する。上記実施形態と同様な構成については、図１１〜図１５に上記と同じ符号を付してその説明を省略する。
【００６１】
本案内表示装置は、図１１〜図１３に示すように、１本の支柱６２の上部に太陽電池６５を取り付け、支柱６２の中間部には文字表示器６３を取り付けて構成される。文字表示器６３は、多数の発光ダイオード（例えば赤色ＬＥＤ）をＸ・Ｙ平面上でマトリックス状に配置して構成され、発光ダイオード群を選択して発光動作させ、「走行注意」、「緊急警報発令中」などの文字を切り替えて赤色で点灯表示し、またはそれを点滅表示するものである。
【００６２】
文字表示器６３の上には回転灯８が取り付けられ、文字表示器６３の背面側の支柱６２には後述の制御ユニット６７、小型密閉式鉛蓄電池などの蓄電体８５、緊急放送受信機２３などの電気機器などを収納した制御函６９が取り付けられる。
【００６３】
制御ユニット６７内には、図１４に示すように、文字表示器６３を点灯駆動するための電源となる蓄電体８５、太陽電池６５の起電力を蓄電体８５に供給して充電する充電回路２２、文字表示器６３を点灯駆動または点滅駆動する表示制御回路３３が設けられ、さらに、緊急放送受信機２３、ラジオ受信機３０、文字表示器６３の表示を制御する制御回路２０が設けられる。制御回路２０は、ＣＰＵ、ＲＯＭ、入出力回路などを備えた演算処理回路から構成することができる。太陽電池６５は充電回路２２に接続され、充電回路２２は制御回路２０に接続される。蓄電体８５は過充放電防止回路３５を介して制御回路２０に接続され、太陽電池６５で発生した起電力が充電回路２２、過充放電防止回路３５を通して蓄電体８５に蓄電される。
【００６４】
さらに、図１４に示すように、制御回路２０には緊急放送受信機２３が接続される。緊急放送受信機２３は、アンテナに接続された同調回路、局部発信回路、中間周波増幅器、検波回路、低周波増幅器、信号識別回路などから構成され、所定の周波数の緊急警報信号を受信するように構成される。緊急警報信号は地震警報のための６４０Ｈｚと津波警報のための１０２４Ｈｚの信号からなり、信号識別回路は、受信され検波して取り出した低周波信号を識別して、６４０Ｈｚ、１０２４Ｈｚの信号を検出する。
【００６５】
さらに、制御回路２０には、ラジオ受信機３０が接続される。ラジオ受信機３０は、アンテナに接続された同調回路、局部発信回路、中間周波増幅器、検波回路、低周波増幅器、スピーカ３１などから構成され、例えばＮＨＫなどの放送局から送信されるラジオ放送を受信するように構成される。ラジオ受信機３０は、制御回路２０によりその動作が制御され、緊急警報信号が制御回路２０に送られたとき、制御回路２０は、ラジオ受信機３０を受信動作させ、ＮＨＫなどの放送を受信してスピーカ３１から放送を流すように動作する。
【００６６】
このよう構成された屋外用案内表示装置は、道路の縁部などに設置され、昼夜判別回路２１の動作により、昼間には、太陽電池６５で発生した起電力を蓄電体８５に蓄電し、夜になると、制御回路２０が表示制御回路３３に点灯信号を出力し、表示制御回路３３が、「走行注意」などの文字を文字表示器６３に表示するように、それを点灯または点滅駆動する。なお、この場合、夜間のみではなく、昼夜共に文字表示器６３を点滅駆動して、「走行注意」などの文字を表示することもでき、この場合、文字表示器６３の昼間の輝度を夜間より高くするように表示することもできる。
【００６７】
一方、緊急警報が発令され、ＮＨＫなどの緊急警報放送用実験局免許を得た放送局から、地震、津波などを示す緊急警報信号が送信された場合、緊急放送受信機２３がこの緊急警報信号を受信する。このとき、緊急放送受信機２３から緊急警報信号の受信を示す信号が制御回路２０に出力され、制御回路２０は表示制御回路３３に点灯切替信号を出力し、文字表示器６３に表示文字を切り替えて表示するように制御する。
【００６８】
この表示制御回路３３の動作により、文字表示器６３には例えば「緊急警報発令中」などの緊急警報用の文字が点灯表示され、或いはその表示が所定の周期で点滅する。また同時に、回転灯８が作動し、さらに制御回路２０はラジオ受信機３０を受信動作させ、例えばＮＨＫなどの放送局のラジオ放送を受信させ、その放送をスピーカ３１から流すように動作する。
【００６９】
これにより、本案内表示装置の近くにいる人は、文字表示器６３に点滅表示される「緊急警報発令中」の文字表示を見て緊急警報発令中であることを認識することができ、且つラジオ受信機３０によって受信されたラジオ放送から流れる緊急警報の情報などを聞いて、地震や津波などの緊急警報の詳細を知ることができる。
【００７０】
【発明の効果】
以上説明したように、本発明の屋外用案内表示装置によれば、緊急警報信号を受信可能な緊急放送受信機を備え、緊急警報信号が送信された際には、その緊急放送受信機により緊急警報信号を受信し、緊急警報信号の受信時には、文字表示制御手段が文字表示器の表示を緊急警報の発令を示す文字を表示し、或いはその文字に切り替えて表示するから、屋外の人々に緊急警報の発令を良好に報知することができ、屋外にいる人々は、その表示を見て緊急警報の発令を迅速にまた容易に認識することができる。さらに、ラジオ放送を受信するラジオ受信機を設け、緊急放送受信機が緊急警報信号を受信したとき、ラジオ受信機を受信動作させて放送の音声を出力するように構成すれば、緊急警報の発令時には、例えばＮＨＫなどのラジオ放送局から緊急警報に関するニュースなどが放送されるため、その緊急警報の放送をスピーカから流し、その緊急警報に関する情報を周囲の人々に報知することができる。
【図面の簡単な説明】
【図１】本発明の一実施形態を示す屋外用案内表示装置の正面図である。
【図２】同案内表示装置の左側面図である。
【図３】同案内表示装置の制御ユニット内の構成ブロック図である。
【図４】同案内表示装置の動作を示すフローチャートである。
【図５】他の実施形態の屋外用案内表示装置の正面図である。
【図６】同案内表示装置の右側面図である。
【図７】同案内表示装置の制御ユニット内の構成ブロック図である。
【図８】他の実施形態の屋外用案内表示装置の正面図である。
【図９】同案内表示装置の左側面図である。
【図１０】同案内表示装置の制御ユニット内の構成ブロック図である。
【図１１】他の実施形態の屋外用案内表示装置の正面図である。
【図１２】同案内表示装置の左側面図である。
【図１３】同案内表示装置の背面図である。
【図１４】同案内表示装置の制御ユニット内の構成ブロック図である。
【図１５】警報用の表示を行う屋外用案内表示装置の正面図である。
【符号の説明】
２−支柱
３−文字表示器
４−反射板
５−太陽電池
６−照明灯
７−制御ユニット
２０−制御回路
２１−昼夜判別回路
２３−緊急放送受信機
２５−蓄電体
２６−人感検出器
２７−点灯回路
【図１】
2004318684.tif 000003
【図２】
2004318684.tif 000004
【図３】
2004318684.tif 000005
【図４】
2004318684.tif 000006
【図５】
2004318684.tif 000007
【図６】
2004318684.tif 000008
【図７】
2004318684.tif 000009
【図８】
2004318684.tif 000010
【図９】
2004318684.tif 000011
【図１０】
2004318684.tif 000012
【図１１】
2004318684.tif 000013
【図１２】
2004318684.tif 000014
【図１３】
2004318684.tif 000015
【図１４】
2004318684.tif 000016
【図１５】
2004318684.tif 000017